(57)【要約】【課題】  採血を行わずに精度良く糖尿病指標値を推定する。【解決手段】  糖尿病指標値推定システム１に含まれる糖尿病指標値推定装置１０は、被検者から放出されるアセトンの濃度値を入力するアセトン濃度入力部１１と、被検者の第１の糖尿病指標値を入力する被検者情報入力部１２と、入力された被検者の第１の糖尿病指標値に基づいて、予め記憶した、アセトンの濃度値と第１の糖尿病指標値とは別の種類の第２の糖尿病指標値との関係を示す複数の検量線から何れかの検量線を選択し、選択した検量線及び入力されたアセトンの濃度値から、当該被検者の第２の糖尿病指標値を推定する指標値推定部１３と、推定された第２の糖尿病指標値を出力する出力部１４とを備える。【選択図】  図１
2020016448.tif 000002
【特許請求の範囲】
【請求項１】
被検者から放出されるアセトンの濃度値を入力するアセトン濃度入力部と、
前記被検者の第１の糖尿病指標値を入力する被検者情報入力部と、
前記被検者情報入力部によって入力された前記被検者の第１の糖尿病指標値に基づいて、予め記憶した、アセトンの濃度値と第１の糖尿病指標値とは別の種類の第２の糖尿病指標値との関係を示す複数の検量線から何れかの検量線を選択し、選択した検量線及び前記アセトン濃度入力部によって入力された前記濃度値から、当該被検者の第２の糖尿病指標値を推定する指標値推定部と、
前記指標値推定部によって推定された第２の糖尿病指標値を出力する出力部と、
を備える糖尿病指標値推定システム。
【請求項２】
前記被検者情報入力部は、前記被検者が薬を服用しているか否かを示す情報も入力し、
前記指標値推定部は、前記被検者情報入力部によって入力された、前記被検者が薬を服用しているか否かを示す情報にも基づいて、検量線を選択する請求項１に記載の糖尿病指標値推定システム。
【請求項３】
前記第１の糖尿病指標値は血中ＨｂＡ１ｃ濃度であり、前記第２の糖尿病指標値は血糖値である請求項１又は２に記載の糖尿病指標値推定システム。
【請求項４】
前記指標値推定部は、第１の糖尿病指標値に応じて被検者を少なくとも２つのグループの何れに属するか否かを判定し、当該少なくとも２つのグループのうち、第１の糖尿病指標値が大きいグループに被検者が属すると判定した場合には、アセトンの濃度値と第２の糖尿病指標値とが正の相関を示す検量線を選択し、当該少なくとも２つのグループのうち、第１の糖尿病指標値が小さいグループに被検者が属すると判定した場合には、アセトンの濃度値と第２の糖尿病指標値とが負の相関を示す検量線を選択する請求項１〜３の何れか一項に記載の糖尿病指標値推定システム。
【請求項５】
前記被検者情報入力部は、前記被検者の被検者情報として、性別、年齢、身長、体重、血圧、ＢＭＩ、体脂肪率、内臓脂肪、飲食履歴及び運動履歴のうち１つ以上の情報も入力し、
前記指標値推定部は、前記被検者情報入力部によって入力された前記被検者情報にも基づいて、検量線を選択する請求項１〜４の何れか一項に記載の糖尿病指標値推定システム。
【発明の詳細な説明】
【技術分野】
【０００１】
本発明は、被検者の糖尿病指標値を推定する糖尿病指標値推定システムに関する。
【背景技術】
【０００２】
糖尿病はインスリン作用の低下により、慢性的に高血糖になる代謝症候群の一つである。日本国内で糖尿病の疑いのある人は８９０万人にのぼるといわれ（平成１９年の国民健康・栄養調査、厚生労働省）、糖尿病は生活習慣病の一つとしても広く知られている。糖尿病の症状を表わす主な指標値として血糖値（血中グルコース濃度）及び血中ＨｂＡ１ｃ濃度があり、採血によって測定することが一般的である。しかし、採血には痛みを伴ったり、感染症に罹るリスクが伴ったりするため、採血を行わずに上記の指標値を測定する技術が望まれている。例えば、特許文献１では、近赤外光を生体に照射し、得られた光学スペクトルから血糖値を推定する装置が開示されている。
【０００３】
一方、生体から放出されるガス成分に含まれているアセトンは、体脂肪の燃焼及び分解に伴って生成される代謝産物の一つであり、血中に産出された後、肺及び皮膚を通じて呼気ガス及び皮膚ガスとして体外に排出されている。糖尿病ではない健常人の場合、まず糖がエネルギーとして消費された後、脂肪がエネルギーとして使用される。糖尿病患者は糖の代謝に異常があり、糖が残っていても脂肪がエネルギーとして用いられるため、総じてアセトン濃度が高い傾向にあることが知られている。アセトンは非侵襲的に糖尿病の有無、あるいはコントロールの成否をモニタする指標として期待されており、アセトン濃度と血糖値の相関性が検証されている。
【０００４】
非特許文献１では、糖尿病患者の呼気アセトン濃度と上記の指標値との相関性を検証した結果が開示されている。血糖値又は血中ＨｂＡ１ｃ濃度の大小に応じて糖尿病患者を４つ（血糖値４０〜１００ｍｇ／ｄｌの低血糖値、１０１〜１５０ｍｇ／ｄｌの境界血糖値、１５１〜２００ｍｇ／ｄｌの高血糖値、２０１〜４１９ｍｇ／ｄｌの超高血糖値）又は３つ（ＨｂＡ１ｃ濃度５．９〜６．９％の標準値、７．０〜９．９％の高値、１０〜１３％の超高値）のグループに分けて、各グループにおける糖尿病患者の平均呼気アセトン濃度を算出すると、指標値の高いグループほど平均呼気アセトン濃度が高い傾向を示す、正の相関があることが開示されている。
【先行技術文献】
【特許文献】
【０００５】
【特許文献１】国際公開第２０１１／０１３６９４号
【非特許文献】
【０００６】
【非特許文献１】C. Wang, et al., IEEE Sensors J. vol.10, pp.54-63, 2010.
【発明の概要】
【発明が解決しようとする課題】
【０００７】
上述した文献に基づく従来技術では、いずれも採血を行うことなく指標値を推定することができるものの、その推定精度に問題があった。特許文献１による方法では、血糖値の変化に対する光学スペクトルの変化が小さいため、測定環境光及び皮膚状態等の影響を受けやすく、測定誤差が大きくなりやすいという問題があった。非特許文献１による方法では、指標値を３ないしは４段階の大小による大雑把な推定しかできない、という問題があった。
【０００８】
本発明は、上記の問題点に鑑みてなされたものであり、採血を行わずに精度良く糖尿病指標値を推定することができる糖尿病指標値推定システムを提供することを目的とする。
【課題を解決するための手段】
【０００９】
上記の目的を達成するために、本発明に係る糖尿病指標値推定システムは、被検者から放出されるアセトンの濃度値を入力するアセトン濃度入力部と、被検者の第１の糖尿病指標値を入力する被検者情報入力部と、被検者情報入力部によって入力された被検者の第１の糖尿病指標値に基づいて、予め記憶した、アセトンの濃度値と第１の糖尿病指標値とは別の種類の第２の糖尿病指標値との関係を示す複数の検量線から何れかの検量線を選択し、選択した検量線及びアセトン濃度入力部によって入力された濃度値から、当該被検者の第２の糖尿病指標値を推定する指標値推定部と、指標値推定部によって推定された第２の糖尿病指標値を出力する出力部と、を備える。
【００１０】
本発明に係る糖尿病指標値推定システムでは、被検者から放出されるアセトンの濃度値が用いられて、被検者の糖尿病指標値が推定される。これにより、採血を行わずに糖尿病指標値を推定することができる。また、本発明に係る糖尿病指標値推定システムでは、被検者の第１の糖尿病指標値に基づいて選択された検量線が用いられて第２の糖尿病指標値が推定される。これにより、被検者の第１の糖尿病指標値に応じた適切な第２の糖尿病指標値の推定が行われるため、精度良く指標値を推定することができる。即ち、本発明に係る糖尿病指標値推定システムによれば、採血を行わずに精度良く糖尿病指標値を推定することができる。
【発明の効果】
【００１１】
本発明では、被検者から放出されるアセトンの濃度値が用いられて、被検者の糖尿病指標値が推定される。これにより、採血を行わずに糖尿病指標値を推定することができる。また、本発明では、被検者の第１の糖尿病指標値に基づいて選択された検量線が用いられて第２の糖尿病指標値が推定される。これにより、被検者の第１の糖尿病指標値に応じた適切な第２の糖尿病指標値の推定が行われるため、精度良く指標値を推定することができる。即ち、本発明によれば、採血を行わずに精度良く糖尿病指標値を推定することができる。
【図面の簡単な説明】
【００１２】
【図１】本発明の実施形態に係る糖尿病指標値推定システムの構成を示す図である。
【図２】血中ＨｂＡ１ｃ濃度に応じた呼気アセトン濃度と血糖値との関係性を示すグラフである。
【図３】本発明の実施形態に係る糖尿病指標値推定システムで実行される処理を示すフローチャートである。
【図４】本発明の実施形態に係る糖尿病指標値推定システムに含まれる糖尿病指標値推定装置及びアセトン測定装置のハードウェア構成を示す図である。
【発明を実施するための形態】
【００１３】
以下、図面と共に本発明に係る糖尿病指標値推定システムの実施形態について詳細に説明する。なお、図面の説明においては同一要素には同一符号を付し、重複する説明を省略する。
【００１４】
図１に本実施形態に係る糖尿病指標値推定システム１を示す。糖尿病指標値推定システム１は、被検者から放出されるアセトンの濃度値から、当該被検者の糖尿病指標値（当該被検者の体内に含まれる糖尿病指標値となり得る特定の成分の物理量）を推定するシステムである。糖尿病指標値推定システム１によって推定される糖尿病指標値は、具体的には血糖値である。
【００１５】
図１に示すように糖尿病指標値推定システム１は、糖尿病指標値推定装置１０と、アセトン測定装置２０とを含んで構成されている。糖尿病指標値推定装置１０とアセトン測定装置２０とは、少なくともアセトン測定装置２０から糖尿病指標値推定装置１０に測定結果を示す情報を送信できるように互いに接続されている。例えば、糖尿病指標値推定装置１０とアセトン測定装置２０とは、ネットワークを介して接続されていてもよい。ネットワークは、例えば、移動体通信網又はインターネットである。また、アセトン測定装置２０は、通信端末装置を介してネットワークに接続されていてもよい。即ち、アセトン測定装置２０による測定結果を示す情報が、通信端末装置を介してネットワークに出力され、糖尿病指標値推定装置１０に送信されてもよい。
【００１６】
ここで、通信端末装置とは、例えば、糖尿病指標値推定システム１のユーザ（被検者）が所持する携帯電話のような持ち運び可能な電子機器である。通信端末装置は、携帯電話以外でもよく、例えば、スマートフォン、タブレット型コンピュータ、パーソナルデジタルアシスタント（ＰＤＡ）、携帯型パーソナルコンピュータ、パームトップコンピュータ、ラップトップコンピュータ等でもよい。また、通信端末装置は、必ずしも上記のものに限定されない。アセトン測定装置２０と通信端末装置との間の通信は、無線ＬＡＮ（ローカルエリアネットワーク）、若しくはＢｌｕｅｔｏｏｔｈ（登録商標）及びＺｉｇＢｅｅ（登録商標）等の近距離無線通信により行われてもよい。また、当該通信は、それ以外にもＵＳＢ（ユニバーサルシリアルバス）又は音声ケーブル等のような有線通信を用いて行われてもよい。また、糖尿病指標値推定装置１０とアセトン測定装置２０とは一体になっていてもよい。即ち、アセトン測定装置に、アセトンの濃度値を基に糖尿病指標値を推定する機能が付加されていてもよい。
【００１７】
糖尿病指標値推定装置１０は、アセトン測定装置２０から受信した情報に基づいて情報処理を行うことにより、被検者の糖尿病指標値を推定する装置である。糖尿病指標値推定装置１０は、具体的には、サーバ装置、ワークステーション、パーソナルコンピュータ及び携帯端末等の情報処理装置に相当する。糖尿病指標値推定装置１０は一つの装置で実現されていてもよいし、複数の情報処理装置（例えば、携帯端末とサーバ装置等）がネットワークにより互いに接続されて構成される情報処理システムにより実現されていてもよい。糖尿病指標値推定装置１０の本実施形態に係る機能については、後述する。
【００１８】
アセトン測定装置２０は、被検者である生体から放出されるガス成分に含まれているアセトンの濃度値を測定する装置である。具体的には、アセトン測定装置２０は、被検者の呼気を検出して、検出した呼気からアセトンを検出して、アセトンの濃度値を算出（測定）するセンサ部を備えている。なお、アセトンの濃度値の測定機能（アセトン測定装置２０のハードウェア構成）については、従来のものを用いることができる。アセトンの濃度値の測定は、例えば、被検者のアセトン測定装置２０が備える操作部に対する操作をトリガとして行われる。あるいは、アセトンの濃度値の測定は、予め設定された時刻に自動的に行われてもよい。アセトンの濃度値の測定は、被検者の糖尿病指標値の推定を行うタイミングで行う。例えば、１日の予め設定された時刻、具体的には、起床直後の朝食摂取前、食後、睡眠前等に行うこととしてもよい。但し、それ以外の任意のタイミングで測定されてもよい。測定されたアセトンの濃度値は、例えば、従来のアセトン測定器と同様にｐｐｍ単位の数値である。但し、上記以外の単位の数値であってもよい。アセトン測定装置２０は、測定したアセトンの濃度値を示す情報を糖尿病指標値推定装置１０に送信する。
【００１９】
また、アセトン測定装置２０は、アセトンの濃度値の送信に応じて、糖尿病指標値推定装置１０から推定結果を受信する。アセトン測定装置２０は、例えば、表示部を備えており、受信した推定結果及び操作部を通じて行われた操作結果を当該表示部に表示させてもよい。
【００２０】
アセトン測定装置２０としては、被検者が体に密着できるタイプ、ユーザが持ち運ぶことができるタイプ、家庭等に据え置きするタイプ等の様々な形態の装置を用いることができる。例えば、アセトン測定装置２０は、自宅又は外出先等でも手軽に測定できるポータブル型の測定器（例えば、T. Toyooka et al., J. Breath Res., vol.7, 036005, 2013）とすることができる。また、アセトン測定装置２０は、それ以外でも、他の半導体式ガスセンサ、ガスクロマトグラフィー装置又はイオン移動度分光分析装置等であってもよい。
【００２１】
なお、上記では、アセトンの濃度値は、被検者の呼気から検出することとしているが、呼気だけでなく、皮膚又は粘膜から自然に放出される皮膚アセトンであってもよい。また、皮膚アセトンの放出部位は特に限定されず、皮膚アセトンが放出されている部位であればどこでもよい。なお、呼気アセトン濃度と皮膚アセトン濃度との間には相関があることが知られている（例えば、C. Turner et al., Rapid Commun. Mass Spectrom., vol.22, pp.526-532,2008）。
【００２２】
ここで、本実施形態において糖尿病指標値推定装置１０によって行われる血糖値の推定の考え方を示す。上述したように本実施形態では、被検者から放出されるアセトンの濃度値から、当該被検者の血糖値が推定される。当該推定には、アセトンの濃度値と血糖値との関係を示す検量線が用いられる。
【００２３】
本発明者は、糖尿病患者の実測値等から、アセトンの濃度値と血糖値との関係が血中ＨｂＡ１ｃ濃度に応じたものであることを見出した。本実施形態における血糖値の推定は、本知見に基づいてなされる。図２に糖尿病患者の呼気アセトン濃度と血糖値とのグラフを示す。当該グラフにおいて、横軸が呼気アセトン濃度（ｐｐｍ）を示し、縦軸が血糖値（ｍｇ／ｄｌ）を示す。グラフ中の直線及び式は、一次回帰式（ｙ：血糖値、ｘ：呼気アセトン濃度）であり、後述する検量線に相当する。グラフ中のＲは、相関係数の値である。図２（ａ）は糖尿病患者のうち、糖尿病治療薬を服用しており、かつ血中ＨｂＡ１ｃ濃度が６．９％未満の人に係るグラフである。図２（ｂ）は糖尿病患者のうち、糖尿病治療薬を服用しており、かつ血中ＨｂＡ１ｃ濃度が７．４％以上の人に係るグラフである。
【００２４】
上記のグラフに示されるように、血中ＨｂＡ１ｃ濃度に応じた糖尿病患者のグループ毎にアセトンの濃度値と血糖値との関係が異なっている。図２（ａ）に示すように、血中ＨｂＡ１ｃ濃度が６．９％未満の患者のグループでは、アセトンの濃度値と血糖値とは負の相関関係となっている。一方で、図２（ｂ）に示すように、血中ＨｂＡ１ｃ濃度が７．４％以上の患者のグループでは、アセトンの濃度値と血糖値とは正の相関関係となっている。糖尿病指標値推定装置１０では、予め、アセトンの濃度値と血糖値との関係を示す複数の検量線が用意され、被検者の血中ＨｂＡ１ｃ濃度に基づいて、推定に用いる検量線が選択される。
【００２５】
本実施形態では、被検者の血糖値を推定するために被検者の血中ＨｂＡ１ｃ濃度が必要になる。そのため、例えば、血中ＨｂＡ１ｃ濃度を採血によって測定することが必要になる。通常、血中ＨｂＡ１ｃ濃度は、日単位で大きく変動することはない。そのため、血中ＨｂＡ１ｃ濃度を頻繁に測定しなくても、検量線の選択のために用いることができる。例えば、本実施形態では、血中ＨｂＡ１ｃ濃度は、２，３か月に１度程度測定されればよい。
【００２６】
一方で、血糖値は、日単位、時間単位で大きく変動し得る。糖尿病患者等にとって、健康管理の目的のために、日単位、時間単位で血糖値を把握することは重要である。本実施形態は、日単位又は時間単位等での血糖値を、採血を行わずに精度良く推定することを目的とするものである。
【００２７】
引き続いて、糖尿病指標値推定装置１０の機能について詳細に説明する。図１に示すように、糖尿病指標値推定装置１０は、アセトン濃度入力部１１と、被検者情報入力部１２と、指標値推定部１３と、出力部１４とを備えて構成される。
【００２８】
アセトン濃度入力部１１は、糖尿病指標値の算出対象となる被検者から放出されるアセトンの濃度値を入力する機能部である。アセトン濃度入力部１１は、アセトンの濃度値を示す情報をアセトン測定装置２０から受信することで、被検者から放出されるアセトンの濃度値を入力する。アセトン濃度入力部１１は、アセトンの濃度値を示す情報とあわせてそれに関連した情報（被検者を特定する情報である被検者識別子及び測定時刻）もアセトン測定装置２０から受信することとしてもよい。なお、アセトン濃度入力部１１は、必ずしもアセトン測定装置２０からアセトンの濃度値を入力しなくてもよい。例えば、アセトン濃度入力部１１は、糖尿病指標値推定装置１０に対するユーザの操作によってアセトンの濃度値を入力することとしてもよい。また、アセトン濃度入力部１１は、受信したアセトンの濃度値を示す情報を、糖尿病指標値推定装置１０が備えるデータベースに被検者識別子に対応付けて記憶しておき、被検者の糖尿病指標値の推定の際に読み出して利用することとしてもよい。アセトン濃度入力部１１は、入力したアセトンの濃度値を指標値推定部１３に出力する。
【００２９】
被検者情報入力部１２は、被検者の第１の糖尿病指標値を入力する機能部である。第１の糖尿病指標値は、検量線の選択に用いられる糖尿病指標値であり、本実施形態では、血中ＨｂＡ１ｃ濃度である。入力される被検者の血中ＨｂＡ１ｃ濃度は、上述したように例えば、予め測定された血中ＨｂＡ１ｃ濃度である。血中ＨｂＡ１ｃ濃度は、通常、糖尿病指標値として用いられる際と同様に％単位の数値として入力される。但し、上記以外の単位の数値として入力されてもよい。被検者情報入力部１２は、被検者が糖尿病治療薬を服用しているか否かを示す情報も入力してもよい。当該情報も、検量線の選択に用いられる。
【００３０】
糖尿病指標値推定装置１０は、例えば、上記の情報を被検者が用いている通信端末装置等から受信し、被検者識別子に対応付けて自身が備えるデータベースに格納しておく。上記の情報（後述する被検者のグループ分けをするための情報）の被検者からの送信は、被検者自身の自己申告に基づいて行われてもよいし、医師又は看護師等の第三者の判断に基づいて行われてもよい。被検者情報入力部１２は、当該情報を読み出すことによって被検者の情報を入力する。なお、データベースは、上記の情報以外にも、例えば、被検者の性別、年齢、身長、体重、血圧、ＢＭＩ（Body Mass Index）、体脂肪率、内臓脂肪、腹囲、持病、電子カルテ、投薬履歴、電子スケジューラ、飲食履歴及び運動履歴等の情報を記憶してもよい。また、記憶内容もこれらに限定されない。
【００３１】
被検者情報入力部１２は、データベースから情報を読み出す以外でも、被検者が用いている通信端末装置又はアセトン測定装置２０から情報を受信することで、被検者の情報を入力することとしてもよい。被検者情報入力部１２は、入力した情報を指標値推定部１３に出力する。
【００３２】
指標値推定部１３は、アセトン濃度入力部１１によって入力されたアセトンの濃度値から、当該被検者の第２の糖尿病指標値を推定する機能部である。推定対象となる第２の糖尿病指標値は、第１の糖尿病指標値とは別の種類の糖尿病指標値であり、本実施形態では、血糖値である。血糖値は、通常、糖尿病指標値として用いられる際と同様にｍｇ／ｄｌ単位の数値として推定される。但し、上記以外の単位の数値として推定されてもよい。指標値推定部１３は、被検者情報入力部１２によって入力された被検者の血中ＨｂＡ１ｃ濃度に基づいて、予め記憶した、アセトンの濃度値と血糖値との関係を示す複数の検量線から何れかの検量線を選択する。指標値推定部１３は、選択した検量線及びアセトン濃度入力部１１によって入力されたアセトンの濃度値から、被検者の血糖値を推定する。
【００３３】
指標値推定部１３は、被検者情報入力部１２によって入力された、被検者が糖尿病治療薬を服用しているか否かを示す情報にも基づいて、検量線を選択することとしてもよい。指標値推定部１３は、血中ＨｂＡ１ｃ濃度に応じて被検者を少なくとも２つのグループの何れに属するか否かを判定してもよい。指標値推定部１３は、当該少なくとも２つのグループのうち、血中ＨｂＡ１ｃ濃度が大きいグループに被検者が属すると判定した場合には、アセトンの濃度値と血糖値とが正の相関を示す検量線を選択してもよい。指標値推定部１３は、当該少なくとも２つのグループのうち、血中ＨｂＡ１ｃ濃度が小さいグループに被検者が属すると判定した場合には、アセトンの濃度値と血糖値とが負の相関を示す検量線を選択してもよい。具体的には、指標値推定部１３は、以下のように被検者の血糖値を推定する。
【００３４】
指標値推定部１３は、予め、被検者のグループに応じた複数の、アセトンの濃度値と血糖値との関係を示す検量線を、糖尿病指標値推定装置１０が備えるデータベースに格納しておく等により記憶しておく。検量線は、例えば、アセトンの濃度値を変数として、血糖値を出力値とした関数である。当該関数は、例えば、図２のグラフ上に直線で示される一次関数である。但し、当該関数は、一次関数以外の関数であってもよい。
【００３５】
予め設定される被検者の複数のグループは、血中ＨｂＡ１ｃ濃度に応じたものである。例えば、血中ＨｂＡ１ｃ濃度が６．９％未満であるグループと、血中ＨｂＡ１ｃ濃度が７．４％以上であるグループとの２つのグループを予め設定しておく。なお、血中ＨｂＡ１ｃ濃度が６．９％以上かつ７．４％未満であるグループは、本実施形態における血糖値の推定対象から除外してもよい。また、３つ以上のグループを予め設定しておいてもよい。
【００３６】
また、当該グループは、血中ＨｂＡ１ｃ濃度に加えて、被検者が糖尿病治療薬を服用しているか否かに応じたものであってもよい。例えば、糖尿病治療薬を服用しており、かつ血中ＨｂＡ１ｃ濃度が６．９％未満であるグループと、糖尿病治療薬を服用しており、かつ血中ＨｂＡ１ｃ濃度が７．４％以上であるグループとの２つのグループを含むグループを予め設定しておく。
【００３７】
指標値推定部１３は、当該グループ毎に検量線を記憶しておく。検量線は、予め用意された各グループの被検者のアセトンの濃度値と血糖値とのサンプルデータの解析を行うことによって作成することができる。なお、サンプルデータの解析は、糖尿病指標値推定装置１０において行われてもよいし、別の装置で行われてもよい。別の装置で解析が行われた場合には、解析によって得られた検量線の情報が、当該別の装置から糖尿病指標値推定装置１０に送信される。
【００３８】
図２に示す例では、２つのグループのうち、血中ＨｂＡ１ｃ濃度が小さいグループ（即ち、血中ＨｂＡ１ｃ濃度が６．９％未満であるグループ）には、アセトンの濃度値と血糖値とが負の相関を示す検量線が対応付けられる。一方で、２つのグループのうち、血中ＨｂＡ１ｃ濃度が大きいグループ（即ち、血中ＨｂＡ１ｃ濃度が７．４％以上であるグループ）には、アセトンの濃度値と血糖値とが正の相関を示す検量線が対応付けられる。
【００３９】
なお、上記のように血中ＨｂＡ１ｃ濃度でグループ分けしない場合（即ち、被検者全体を１つのグループとした場合）には、呼気アセトン濃度と血糖値とは相関が低い。そのため、任意の血中ＨｂＡ１ｃ濃度に対して、同一の検量線を用いて血糖値の推定を行うと、精度良い推定値とはならない。本知見も、本発明者によって見出されたものである。
【００４０】
指標値推定部１３は、被検者情報入力部１２から入力された情報に基づいて、被検者が何れのグループに属するかを判定し、属すると判定したグループに対応付けられて記憶されている検量線を選択する。指標値推定部１３は、選択した検量線及びアセトン濃度入力部１１から入力された濃度値から血糖値を推定する。具体的には、指標値推定部１３は、アセトンの濃度値を検量線に入力して、検量線からの出力値を血糖値の推定値とする。指標値推定部１３は、推定した被検者の血糖値を出力部１４に出力する。
【００４１】
出力部１４は、指標値推定部１３によって推定された血糖値を出力する機能部である。具体的には、出力部１４は、指標値推定部１３から入力された血糖値を、アセトン測定装置２０に送信することで出力を行う。アセトン測定装置２０は、例えば、当該血糖値を受信して表示する。被検者は、この表示を参照することで血糖値を把握することができる、また、出力部１４は、アセトン測定装置２０以外の装置に血糖値を送信することとしてもよい。例えば、出力部１４は、通信端末装置に送信されてもよい。また、糖尿病指標値推定装置１０にディスプレイ等の表示装置が備えられている場合には、出力部１４は、当該表示装置に血糖値を出力してもよい。これにより、糖尿病指標値推定装置１０において血糖値の表示をすることができる。以上が、糖尿病指標値推定装置１０の機能である。
【００４２】
引き続いて、図３のフローチャートを用いて、本実施形態に係る糖尿病指標値推定システム１で実行される処理（糖尿病指標値推定システム１の動作方法）を説明する。本処理では、まず、アセトン測定装置２０によって、被検者から放出されるガス成分に含まれているアセトンの濃度値が測定される（Ｓ０１）。測定されたアセトンの濃度値は、アセトン測定装置２０から糖尿病指標値推定装置１０に送信される。
【００４３】
糖尿病指標値推定装置１０では、アセトン濃度入力部１１によって、アセトンの濃度値が受信されて入力される（Ｓ０２）。続いて、被検者情報入力部１２によって、被検者の血中ＨｂＡ１ｃ濃度が入力される（Ｓ０３）。また、この際に被検者が糖尿病治療薬を服用しているか否かを示す情報も入力されてもよい。なお、アセトンの濃度値の測定及び入力（Ｓ０１，Ｓ０２）と、血中ＨｂＡ１ｃ濃度の入力（Ｓ０３）とは、互いに独立に行われる。従って、必ずしも上記の順番で行われる必要はない。
【００４４】
続いて、指標値推定部１３によって、被検者情報入力部１２によって入力された情報に基づいて検量線が選択される（Ｓ０４）。続いて、指標値推定部１３によって、選択された検量線にアセトンの濃度値が入力されて、被検者の血糖値が推定される（Ｓ０５）。続いて、出力部１４によって当該血糖値の出力が行われる（Ｓ０６）。以上が、本実施形態に係る糖尿病指標値推定システム１で実行される処理である。
【００４５】
上述したように本実施形態では、簡便かつ非侵襲的な採取及び測定が可能な、被検者から放出されるアセトンの濃度値が用いられて、被検者の糖尿病指標値が推定される。これにより、採血を行わずに糖尿病指標値を推定することができる。また、本発明に係る本実施形態では、被検者の第１の糖尿病指標値に基づいて選択された検量線が用いられて第２の糖尿病指標値が推定される。これにより、被検者の第１の糖尿病指標値に応じた適切な第２の糖尿病指標値の推定が行われるため、精度良く指標値を推定することができる。即ち、本実施形態によれば、採血を行わずに精度良く糖尿病指標値を推定することができる。
【００４６】
例えば、本実施形態のように、検量線の選択に用いられる第１の糖尿病指標値を血中ＨｂＡ１ｃ濃度とし、推定対象となる第２の糖尿病指標値を血糖値とすることとしてもよい。血中ＨｂＡ１ｃ濃度は、上述したように日単位で大きく変動することはないため、２，３か月に１度程度測定した血中ＨｂＡ１ｃ濃度に基づき、日単位、時間単位での血糖値の推定を、採血を行わずに精度良く推定することができる。但し、必ずしも、第１の糖尿病指標値を血中ＨｂＡ１ｃ濃度とする必要はなく、検量線の選択に用いることができるものであれば他の指標値としてもよい。例えば、第１の糖尿病指標値を、被検者の一定期間の血糖値の平均、又はインスリン量としてもよい。また、必ずしも、第２の糖尿病指標値を血糖値とする必要はなく、本発明の枠組みで推定可能なものであれば他の指標値としてもよい。また、第１の糖尿病指標値及び第２の糖尿病指標値は、被検者の血中の成分に係る値であってもよく、被検者の血中の成分以外に係る値であってもよい。
【００４７】
また、本実施形態のように被検者が糖尿病治療薬を服用しているか否かを示す情報にも基づいて検量線を選択することとしてもよい。この構成により、適切かつ確実に精度良く糖尿病指標値を推定することができる。但し、必ずしも、検量線の選択に当該情報を用いる必要はない。また、被検者が糖尿病治療薬以外を含む薬を服用しているか否かを示す情報にも基づいて検量線を選択することとしてもよい。糖尿病治療薬以外の薬の服用も、第２の糖尿病指標値の推定に影響を与える可能性があるからである。ここで、薬の服用には、口から飲むだけでなく、注射又は皮膚からの吸収等も含まれるものとする。
【００４８】
また、図２のグラフに示すように、血中ＨｂＡ１ｃ濃度が小さいグループに対しては、アセトンの濃度値と血糖値とが負の相関を示す検量線を選択し、血中ＨｂＡ１ｃ濃度が大きいグループに対しては、アセトンの濃度値と血糖値とが正の相関を示す検量線を選択することとしてもよい。この構成により、適切かつ確実に精度良く糖尿病指標値を推定することができる。但し、第１の糖尿病指標値、第２の糖尿病指標値又は血中ＨｂＡ１ｃ濃度以外のグループ分けの条件によっては、必ずしも上記の検量線を用いなくてもよい。
【００４９】
また、本実施形態で検量線の選択に用いた上述した情報に加えて、以下のように被検者に係るそれ以外の情報を検量線の選択に用いることとしてもよい。この場合、被検者情報入力部１２は、被検者の被検者情報として、性別、年齢、身長、体重、血圧、ＢＭＩ、体脂肪率、内臓脂肪、飲食履歴及び運動履歴のうち１つ以上の情報も入力する。被検者情報入力部１２は、当該被検者情報を上述した情報と同様に入力する。例えば、被検者情報入力部１２は、当該被検者情報をデータベースから読み出すことによって被検者の情報を入力する。指標値推定部１３は、被検者情報入力部１２によって入力された被検者情報にも基づいて、検量線を選択する。予め、検量線に対応するグループを被検者情報に応じたものとしておく。指標値推定部１３は、被検者情報にも基づいて被検者が何れのグループに属するかを判定し、属すると判定したグループに対応付けられて記憶されている検量線を選択する。当該グループは、上述した血中ＨｂＡ１ｃ濃度及び糖尿病治療薬の服用の有無等と同様に、実測値等に基づいて被検者情報によって示される数値等の範囲に予め対応付けられる。被検者情報のうち、飲食履歴及び運動履歴については、例えば、従来の方法によってこれらの情報から摂取カロリー又は消費カロリーを算出して、これらの数値に基づいて被検者が属するグループを判定してもよい。上記の構成により、更に適切かつ確実に精度良く糖尿病指標値を推定することができる。
【００５０】
なお、本実施形態では、糖尿病指標値推定システム１は、糖尿病指標値推定装置１０と、アセトン測定装置２０とを含んでいたが、情報を入力して糖尿病指標値を推定できればよいため、必ずしもアセトン測定装置２０が含まれている必要はない。この場合、糖尿病指標値推定システム１は、被検者のアセトンの濃度値等を外部から取得できる構成となっていればよい。
【００５１】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００５２】
例えば、本発明の一実施の形態における糖尿病指標値推定装置１０及びアセトン測定装置２０は、本実施形態の糖尿病指標値推定装置１０及びアセトン測定装置２０の処理を行うコンピュータとして機能してもよい。図４は、本実施形態に係る糖尿病指標値推定装置１０及びアセトン測定装置２０のハードウェア構成の一例を示す図である。上述の糖尿病指標値推定装置１０及びアセトン測定装置２０は、物理的には、プロセッサ１００１、メモリ１００２、ストレージ１００３、通信装置１００４、入力装置１００５、出力装置１００６、バス１００７などを含むコンピュータ装置として構成されてもよい。また、アセトン測定装置２０は、上記のハードウェアに加えて、アセトンの検出のための従来と同様のハードウェアを含んでいてもよい。
【００５３】
なお、以下の説明では、「装置」という文言は、回路、デバイス、ユニットなどに読み替えることができる。糖尿病指標値推定装置１０及びアセトン測定装置２０のハードウェア構成は、図に示した各装置を１つ又は複数含むように構成されてもよいし、一部の装置を含まずに構成されてもよい。
【００５４】
糖尿病指標値推定装置１０及びアセトン測定装置２０における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００５５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、糖尿病指標値推定装置１０及びアセトン測定装置２０の各機能は、プロセッサ１００１で実現されてもよい。
【００５６】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、糖尿病指標値推定装置１０及びアセトン測定装置２０の各機能は、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００５７】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る方法を実施するために実行可能なプログラム（プログラムコード）、ソフトウェアモジュールなどを保存することができる。
【００５８】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００５９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の糖尿病指標値推定装置１０及びアセトン測定装置２０の各機能は、通信装置１００４で実現されてもよい。
【００６０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６１】
また、プロセッサ１００１やメモリ１００２などの各装置は、情報を通信するためのバス１００７で接続される。バス１００７は、単一のバスで構成されてもよいし、装置間で異なるバスで構成されてもよい。
【００６２】
また、糖尿病指標値推定装置１０及びアセトン測定装置２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６３】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００６４】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６５】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００６６】
判定は、１ビットで表される値（０か１か）によって行われてもよいし、真偽値（Boolean：trueまたはfalse）によって行われてもよいし、数値の比較（例えば、所定の値との比較）によって行われてもよい。
【００６７】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６９】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００７０】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７１】
なお、本明細書で説明した用語及び／又は本明細書の理解に必要な用語については、同一の又は類似する意味を有する用語と置き換えてもよい。
【００７２】
本明細書で使用する「システム」および「ネットワーク」という用語は、互換的に使用される。
【００７３】
また、本明細書で説明した情報、パラメータなどは、絶対値で表されてもよいし、所定の値からの相対値で表されてもよいし、対応する別の情報で表されてもよい。
【００７４】
上述したパラメータに使用する名称はいかなる点においても限定的なものではない。さらに、これらのパラメータを使用する数式等は、本明細書で明示的に開示したものと異なる場合もある。
【００７５】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００７６】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００７７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７８】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００７９】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００８０】
本明細書において、文脈または技術的に明らかに1つのみしか存在しない装置である場合以外は、複数の装置をも含むものとする。本開示の全体において、文脈から明らかに単数を示したものではなければ、複数のものを含むものとする。
【符号の説明】
【００８１】
１…糖尿病指標値推定システム、１０…糖尿病指標値推定装置、１１…アセトン濃度入力部、１２…被検者情報入力部、１３…指標値推定部、１４…出力部、２０…アセトン測定装置、１００１…プロセッサ、１００２…メモリ、１００３…ストレージ、１００４…通信装置、１００５…入力装置、１００６…出力装置、１００７…バス。
【図１】
2020016448.tif 000003
【図２】
2020016448.tif 000004
【図３】
2020016448.tif 000005
【図４】
2020016448.tif 000006